(57)【特許請求の範囲】
【請求項１】
四辺形のＬＣＤの表示面を外部に露出させ且つ該表示面の裏面に拡散板を装着して、該ＬＣＤをケースに固定する構造であって、
前記拡散板には、
前記ＬＣＤの一側面を該一側面に垂直な方向であるＸ方向に押圧するＸ方向規制バネ部が一体形成され、前記ＬＣＤの他側面を該他側面に垂直な方向であるＹ方向に押圧するＹ方向規制バネ部が一体形成され、そして、前記ＬＣＤの裏面を該裏面に垂直な方向であるＺ方向に押圧するＺ方向規制バネ部が一体形成されており、
前記ケースには、
前記ＬＣＤ及び前記拡散板の外形に対応して掘り下げられたような形状のＬＣＤ収容部が設けられており、
該ＬＣＤ収容部の内壁には、
前記Ｘ方向規制バネ部に押圧された前記一側面に対向する側面に当接するＸ方向規制凸部が一体形成され、前記Ｙ方向規制バネ部に押圧された前記他側面に対向する側面に当接するＹ方向規制凸部が一体形成され、そして、前記Ｚ方向規制バネ部に押圧された前記裏面とは反対面に当接するＺ方向規制爪部及び／又はＺ方向規制突設部が一体形成されており、
前記拡散板は、ＬＣＤ固定部材としても働く、
ことを特徴とするＬＣＤ固定構造。
【請求項２】
請求項１記載のＬＣＤ固定構造において、
前記拡散板には、
前記ＬＣＤへの前記Ｘ方向規制バネ部及び前記Ｙ方向規制バネ部の押圧により、前記Ｘ方向及び前記Ｙ方向にそれぞれ変位するＸ方向規制片及びＹ方向規制片が更に一体形成され、
前記該ＬＣＤ収容部には、
前記Ｘ方向規制片及び前記Ｙ方向規制片に応じた凹形状をしており、前記Ｘ方向規制片及び前記Ｙ方向規制片にそれぞれ当接するＸ方向規制凹部及びＹ方向規制凹部が一体形成されている、
ことを特徴とするＬＣＤ固定構造。
【請求項３】
請求項１又は請求項２記載のＬＣＤ固定構造において、
前記ＬＣＤ収容部の一部は、
前記拡散板の裏面に接触して該拡散板を支持する複数の突起が設けられて、前記拡散板の形状に対応した受面構造になっている、
ことを特徴とするＬＣＤ固定構造。
【発明の詳細な説明】
【技術分野】
【０００１】
本発明は、ＬＣＤ（液晶ディスプレイ）固定構造に関し、特に、ＬＣＤの表示面を外部に露出させ且つ該表示面の裏面に拡散板を装着してガタツキなく該ＬＣＤをケースに固定する構造に関する。
【背景技術】
【０００２】
自動車には、通常、各種の情報表示のためにＬＣＤが搭載されている。ところが、周知のように、自動車に搭載されたＬＣＤは、走行やエンジン駆動等の振動によってガタツキが発生しやすい環境におかれている。
【０００３】
図６は、この種の従来のＬＣＤ固定構造を示す分解斜視図である。図７は、図６におけるＣＣ線断面図である。
【０００４】
図６に示すように、従来のＬＣＤ固定構造において、ＬＣＤ装置９は、ＬＣＤ９１０及びこのＬＣＤ９１０を搭載する箱形状のＬＣＤホルダー９２０から構成されている。ＬＣＤホルダー９２０の上面の四隅には、ＬＣＤ９１０を位置決めするＬ字状の位置決めリブ９２６が設けられている。ＬＣＤホルダー９２０の片側側面からは載置されたＬＣＤ９１０を反対側方向に付勢して固定するための固定爪９２２ａを有する付勢部９２２が設けられ、ＬＣＤホルダー９２０を回路基板（不図示）に装着するためのロック爪９２８ａを有する係止部９２８も設けられている。
【０００５】
また、ＬＣＤホルダー９２０は、図中矢印方向に、ＬＣＤ９１０を載置して回路基板に装着すると共に、この回路基板を電気機器のフロントケース（不図示）に装着することによって、フロントケースの表示開口部からＬＣＤ９１０の表示面を露出させるようにしている。
【０００６】
なお、上記従来のＬＣＤ固定構造は、下記特許文献１に詳細に記載されている。
【特許文献１】特開２０００−４０８７号公報
【発明の開示】
【発明が解決しようとする課題】
【０００７】
ところが、図７に示すように、この種のＬＣＤ装置９は、ＬＣＤ９１０のピン端子９１２をＬＣＤホルダー９２０の端子受け９２４に挿入した後、付勢部９２２の固定爪９２２ａが、ＬＣＤ９１０の上下方向の保持をしたうえに、図中矢印Ｃで示す方向、すなわち、ピン端子９１２側にＬＣＤ９１０を押さえつけるようになっている。
【０００８】
そうすると、振動や衝撃の発生下においては、ピン端子９１２側が上下方向（本発明でいうＺ方向に対応）に動いてしまう可能性がある。また、これにともなって前後方向（本発明でいうＸ方向、Ｙ方向に対応）にも動いてしまう可能性がある。この結果、振動や衝撃の発生下においては、ＬＣＤ９１０にガタツキや異音が発生してしまうことになる。また、ガタツキにともなうＬＣＤ９１０によって固定爪９２２ａが磨耗して、ＬＣＤ９１０と固定爪９２２ａとの間に隙間が発生して、ここにゴミが挟み込まれる可能性もある。また、バネ形状を一体に設けるため、成形性が悪く、弾性を必要とするため、バネ形状を形成できる樹脂材料にも制約がある。
【０００９】
よって本発明は、上述した現状に鑑み、この種の固定構造に発生しがちであった、上下方向及び前後方向のガタツキ防止、並びにこれに起因する異音発生及びゴミの挟み込みを防止することができるＬＣＤ固定構造を提供することを課題としている。
【課題を解決するための手段】
【００１０】
上記課題を解決するためになされた請求項１記載のＬＣＤ固定構造は、四辺形のＬＣＤの表示面を外部に露出させ且つ該表示面の裏面に拡散板を装着して、該ＬＣＤをケースに固定する構造であって、前記拡散板には、前記ＬＣＤの一側面を該一側面に垂直な方向であるＸ方向に押圧するＸ方向規制バネ部が一体形成され、前記ＬＣＤの他側面を該他側面に垂直な方向であるＹ方向に押圧するＹ方向規制バネ部が一体形成され、そして、前記ＬＣＤの裏面を該裏面に垂直な方向であるＺ方向に押圧するＺ方向規制バネ部が一体形成されており、前記ケースには、前記ＬＣＤ及び前記拡散板の外形に対応して掘り下げられたような形状のＬＣＤ収容部が設けられており、該ＬＣＤ収容部の内壁には、前記Ｘ方向規制バネ部に押圧された前記一側面に対向する側面に当接するＸ方向規制凸部が一体形成され、前記Ｙ方向規制バネ部に押圧された前記他側面に対向する側面に当接するＹ方向規制凸部が一体形成され、そして、前記Ｚ方向規制バネ部に押圧された前記裏面とは反対面に当接するＺ方向規制爪部及び／又はＺ方向規制突設部が一体形成されており、前記拡散板は、ＬＣＤ固定部材としても働く、ことを特徴とする。
【００１１】
請求項１記載の発明によれば、拡散板には、ＬＣＤの一側面をＸ方向に押圧するＸ方向規制バネ部、他側面をＹ方向に押圧するＹ方向規制バネ部、及び、ＬＣＤの裏面をＺ方向に押圧するＺ方向規制バネ部が一体形成されている。また、ケースに設けられたＬＣＤ収容部の内壁には、Ｘ方向規制凸部、Ｙ方向規制凸部、及び、Ｚ方向規制爪部及び／又はＺ方向規制突設部が一体形成されている。そして、ＬＣＤがＬＣＤ収容部に収容されると、Ｘ方向規制バネ部に押圧されたＬＣＤの一側面に対向する側面がＸ方向規制凸部に当接し、Ｙ方向規制バネ部に押圧されたＬＣＤの他側面に対向する側面にＹ方向規制凸部が当接し、Ｚ方向規制バネ部に押圧されたＬＣＤの裏面とは反対面にＺ方向規制爪部及び／又はＺ方向規制突設部が当接する。それにより、拡散板は、ＬＣＤ固定部材としても働く。
【００１２】
上記課題を解決するためになされた請求項２記載のＬＣＤ固定構造は、請求項１記載のＬＣＤ固定構造において、前記拡散板には、前記ＬＣＤへの前記Ｘ方向規制バネ部及び前記Ｙ方向規制バネ部の押圧により、前記Ｘ方向及び前記Ｙ方向にそれぞれ変位するＸ方向規制片及びＹ方向規制片が更に一体形成され、前記該ＬＣＤ収容部には、前記Ｘ方向規制片及び前記Ｙ方向規制片に応じた凹形状をしており、前記Ｘ方向規制片及び前記Ｙ方向規制片にそれぞれ当接するＸ方向規制凹部及びＹ方向規制凹部が一体形成されている、ことを特徴とする。
【００１３】
請求項２記載の発明によれば、拡散板には更に、ＬＣＤへのＸ方向規制バネ部及びＹ方向規制バネ部の押圧により、Ｘ方向及びＹ方向にそれぞれ変位するＸ方向規制片及びＹ方向規制片が一体形成されている。また、ＬＣＤ収容部には更に、Ｘ方向規制片及びＹ方向規制片に応じた凹形状をしており、Ｘ方向規制片及びＹ方向規制片にそれぞれ当接するＸ方向規制凹部及びＹ方向規制凹部が一体形成されている。
【００１４】
上記課題を解決するためになされた請求項３記載のＬＣＤ固定構造は、請求項１又は請求項２記載のＬＣＤ固定構造において、前記ＬＣＤ収容部の一部は、前記拡散板の裏面に接触して該拡散板を支持する複数の突起が設けられて、前記拡散板の形状に対応した受面構造になっている、ことを特徴とする。
【００１５】
請求項３記載の発明によれば、拡散板の裏面は複数の突起によって点接触して拡散板を支持する。
【発明の効果】
【００１６】
請求項１記載の発明によれば、拡散板には、ＬＣＤの一側面をＸ方向に押圧するＸ方向規制バネ部、他側面をＹ方向に押圧するＹ方向規制バネ部、及び、ＬＣＤの裏面をＺ方向に押圧するＺ方向規制バネ部が一体形成されている。また、ケースに設けられたＬＣＤ収容部の内壁には、Ｘ方向規制凸部、Ｙ方向規制凸部、及び、Ｚ方向規制爪部及び／又はＺ方向規制突設部が一体形成されている。そして、ＬＣＤがＬＣＤ収容部に収容されると、Ｘ方向規制バネ部に押圧されたＬＣＤの一側面に対向する側面がＸ方向規制凸部に当接し、Ｙ方向規制バネ部に押圧されたＬＣＤの他側面に対向する側面にＹ方向規制凸部が当接し、Ｚ方向規制バネ部に押圧されたＬＣＤの裏面とは反対面にＺ方向規制爪部及び／又はＺ方向規制突設部が当接する。このようにして、拡散板はＬＣＤ固定部材としても働く。したがって、従来の固定構造で発生しがちであったＬＣＤのＸＹＺ方向のガタツキ及びこれに起因する異音発生を防止することができる。また、ガタツキ防止によって、ゴミの挟み込みも防止できる。更に、本来あるべき拡散板をガタツキ防止に積極的に利用しているため、部品点数が増加することもない。
【００１７】
請求項２記載の発明によれば、拡散板には更に、ＬＣＤへのＸ方向規制バネ部及びＹ方向規制バネ部の押圧により、Ｘ方向及びＹ方向にそれぞれ変位するＸ方向規制片及びＹ方向規制片が一体形成されている。また、ＬＣＤ収容部には更に、Ｘ方向規制片及びＹ方向規制片に応じた凹形状をしており、Ｘ方向規制片及びＹ方向規制片にそれぞれ当接するＸ方向規制凹部及びＹ方向規制凹部が一体形成されている。したがって、ＬＣＤのみならず、拡散板もガタツキなくケースに固定されるために、ＬＣＤのガタツキをより効果的に防止することができる。
【００１８】
請求項３記載の発明によれば、拡散板の裏面は複数の突起によって点接触して拡散板を支持する。したがって、拡散板及びＬＣＤのガタツキを更に効果的に防止することができる。
【発明を実施するための最良の形態】
【００１９】
以下、本発明の実施の形態を図面に基づいて説明する。図１は、本発明の一実施形態に係るＬＣＤ固定構造を説明するための分解斜視図である。図２は、ＬＣＤをケースに組み付けた状態を示す斜視図である。
【００２０】
図１及び図２に示すように、本固定構造は、矩形のＬＣＤ３の表示面を外部に露出させ且つ該表示面の裏面に拡散板２を装着して、ＬＣＤ３をケース１に固定するものである。ケース１は、例えば、複数種のゲージ及びＬＣＤが一体化されたコンビネーションメータ１０の一部であるが、本発明はこれに限定されるものではない。
【００２１】
ケース１は、樹脂製であり、拡散板２及びＬＣＤ３の外形に対応して掘り下げられたような形状のＬＣＤ収容部１１を有している。その開口部は、ＬＣＤ３と同等形状をしている。詳しくは、ＬＣＤ収容部１１は２段構造になっており、最深部である底面には、ＬＣＤ３のバックライト用の複数の光源１Ｌが配置されている。光源１Ｌは、例えば、ＬＥＤ（発光ダイオード）である。また、ＬＣＤ収容部１１の一部は、拡散板２の裏面に点接触してＬＣＤ３を支持する複数の突起１Ｂが設けられた、ＬＣＤ３の形状に対応した受面構造になっている。複数の突起１Ｂとしては、例えば、図１に示す受面上の２つ、この受面の対面上に２つ（不図示）設けられている。これら複数の突起１Ｂの点接触によってＬＣＤ３が支持されるので、ＬＣＤ３のガタツキを効果的に防止することができる。
【００２２】
また、ＬＣＤ収容部１１の内壁には、Ｘ方向規制凸部１Ｈ、Ｙ方向規制凸部１Ｊ、並びに、Ｚ方向規制爪部１Ｇ及びＺ方向規制突設部１Ｆが一体形成されている。なお、Ｘ方向とはＬＣＤ３の長側面（請求項の他側面に対応）方向を意味し、Ｙ方向とはＬＣＤ３の短側面（請求項の一側面に対応）方向を意味し、Ｚ方向とはＸ方向及びＹ方向に垂直な方向を意味する。
【００２３】
Ｘ方向規制凸部１Ｈは、縦長（Ｚ方向に延びるように）の半円筒状又は三角柱状であり、ＬＣＤ収容部１１の内壁のひとつに例えば２つ設けられている。Ｙ方向規制凸部１Ｊも、縦長の半円筒状又は三角柱状であり、ＬＣＤ収容部１１の内壁のひとつに例えば２つ設けられている。また、Ｚ方向規制爪部１Ｇは、Ｙ方向規制凸部１Ｊと同じＬＣＤ収容部１１の内壁の上部に２つ設けられている。また、Ｚ方向規制突設部１Ｆは、ＬＣＤ収容部１１の開口部の一部に突出した片であり、Ｚ方向規制爪部１Ｇとは対面にあたるＬＣＤ収容部１１の内壁の上端に２箇所設けられている。
【００２４】
更に、ＬＣＤ収容部１１の内壁を切り欠くようにして、Ｘ方向規制凹部１Ｍ及びＹ方向規制凹部１Ｋが設けられている。Ｘ方向規制凹部１Ｍ及びＹ方向規制凹部１Ｋは、拡散板２のＸ方向規制凸片２Ｅ３及びＹ方向規制凸片２Ｅ１、２Ｅ２に対応して矩形状に切り欠かかれている。すなわち、Ｘ方向規制凹部１Ｍは、上記Ｚ方向規制突設部１Ｆに隣接して、ＬＣＤ収容部１１の内壁を縦長に切り欠くように形成されている。また、Ｙ方向規制凹部１Ｋは、上記Ｘ方向規制凸部１Ｈと同じＬＣＤ収容部１１の内壁を切り欠くようにして１つ、これと対向するＬＣＤ収容部１１の内壁を切り欠くようにしてもう１つ形成されている。
【００２５】
一方、拡散板２は、弾性を有する白濁色の樹脂製板部材である。拡散板２は、基本的に、バックライトとしての光源１Ｌからの光を拡散してＬＣＤ３の表示部の裏面に均等に与えるためのものである。このために、拡散板２の中央部は、２Ｍで示すように波形状になっている。但し、このような波形状は、本発明の主旨に直接関係ないので詳しい説明は省略する。また、拡散板２は、ＬＣＤ３の平面形状と略同等の平面形状を有し、ＬＣＤ３の裏面に重着されて組み付けられる。このような拡散板２に着目して、本実施形態ではＬＣＤ３のＸＹＺ方向の固定のために利用する。
【００２６】
ＬＣＤ３のケース１への固定のために、拡散板２には、ＬＣＤ３の短側面を上記Ｘ方向に押圧するＸ方向規制バネ部２Ａが一体形成され、ＬＣＤ３の長側面を上記Ｙ方向に押圧するＹ方向規制バネ部２Ｄが一体形成され、そして、ＬＣＤ３の裏面を上記Ｚ方向に押圧するＺ方向規制バネ部２Ｂ１〜２Ｂ４が一体形成されている。
【００２７】
Ｘ方向規制バネ部２Ａは、拡散板２の材質を利用してバネ性を有する２つの片状になっている。Ｙ方向規制バネ部２Ｄもまた、拡散板２の材質を利用してバネ性を有する２つの片状になっている。Ｚ方向規制バネ部２Ｂ１〜２Ｂ４は、拡散板２の材質を利用してバネ性を有する片状になっており、矩形状の拡散板２上の略四隅に分散的に形成されている。
【００２８】
また、拡散板２には、上記Ｘ方向規制バネ部２Ａ及びＹ方向規制バネ部２Ｄに押圧されて、上記Ｘ方向及びＹ方向にそれぞれ変位するＸ方向規制片２Ｅ３及びＹ方向規制片２Ｅ２が一体形成されている。Ｘ方向規制片２Ｅ３は上記Ｙ方向規制バネ部２Ｄと同じ側面に舌片状に形成されており、Ｘ方向規制片２Ｅ３は上記Ｚ方向規制バネ部２Ｂ２と同じ側面に舌片状に形成されている。Ｘ方向規制バネ部２Ａ、Ｙ方向規制バネ部２Ｄ及びＺ方向規制バネ部２Ｂ１〜２Ｂ４、並びに、Ｘ方向規制片２Ｅ３及びＹ方向規制片２Ｅ２の作用効果については図３〜図５を用いて後述する。
【００２９】
そして、ＬＣＤ３は、矩形で平板状をしており、例えば、車両等に関する情報をディジタル的又はグラフィック的に外部に表示出力する周知の液晶表示装置である。ＬＣＤ３の長側面のうちのひとつからは、ＦＰＣ（フラットケーブル）３Ｐが導出されている。ＦＰＣ３Ｐの先端は、ケース１側の図示しないＦＰＣコネクタに電気的、機械的に挿入接続される。なお、ＬＣＤ３は２つの長側面３Ｋ１及び２つの短側面３Ｋ２、並びに、表示面及びこの反対面を裏面から構成されている。
【００３０】
このような構成において、拡散板２及びＬＣＤ３のケース１への組付け時には、図１に示すように、拡散板２のＸ方向規制片２Ｅ３及びＹ方向規制片２Ｅ２をそれぞれ、ケース１側のＸ方向規制凹部１Ｍ及びＹ方向規制凹部１Ｋに位置合わせしつつ、拡散板２の裏面が複数の突起１Ｂに全て当接するまで拡散板２をＺ方向に押し込み、拡散板２をケース１のＬＣＤ収容部１１にはめ込む。
【００３１】
次に、ＬＣＤ３の長側面３Ｋ１をＹ方向規制バネ部２Ｄに当接させ、且つ短側面３Ｋ２をＸ方向規制バネ部２Ａに当接させつつ、ＬＣＤ３の裏面がＺ方向規制バネ部２Ｂ１〜２Ｂ４全てに当接するまでＬＣＤ３をＺ方向に押し込み、ＬＣＤ３をケース１のＬＣＤ収容部１１にはめ込んでいく。このとき、ＬＣＤ３の長側面３Ｋ１の隅部がＺ方向規制突設部１Ｆの下に潜り込むように、ＬＣＤ３をはめ込む必要がある。そして、最終的には、図２に示すように、ＬＣＤ３の長側面３Ｋ１（Ｚ方向規制突設部１Ｆの下に潜り込ませた側面の対側面）が、Ｚ方向規制爪部１Ｇに係合して安定する。
【００３２】
続いて、図３〜図５を用いて、上述のように組付けられＬＣＤ収容部１１に収容されたＬＣＤ３の固定構造に係る作用及び効果について以下に説明する。図３は、本発明のＬＣＤ固定構造の実施形態に係るＸ方向の作用を説明するための平面図である。図４は、本発明のＬＣＤ固定構造の実施形態に係るＹ方向の作用を説明するための平面図である。図５は、本発明のＬＣＤ固定構造の実施形態に係るＺ方向の作用を説明するための斜視図である。
【００３３】
図３に示すように、ＬＣＤ３がＬＣＤ収容部１１に収容されると、Ｘ１に示すように、Ｘ方向規制バネ部２Ａに押圧されたＬＣＤ３の側面３Ｋ２に対向する側面が、Ｘ２に示すように、Ｘ方向規制凸部１Ｈに押圧される。これによって、ＬＣＤ３がケース１に対してＸ方向に強力に固定される。更に、拡散板２のＸ方向規制凸片２Ｅ３がＸ方向規制凹部１Ｍの内壁に押圧される。これによって、ＬＣＤ３のみならず、拡散板２もケース１に対してＸ方向に強力に固定される。
【００３４】
また、図４に示すように、ＬＣＤ３がＬＣＤ収容部１１に収容されると、Ｙ１に示すように、Ｙ方向規制バネ部２Ｄに押圧されたＬＣＤ３の側面３Ｋ１に対向する側面が、Ｙ２に示すように、Ｙ方向規制凸部１Ｊに押圧される。これによって、ＬＣＤ３がケース１に対してＹ方向に強力に固定される。更に、拡散板２のＹ方向規制凸片２Ｅ１、２Ｅ２がＹ方向規制凹部１Ｋの内壁に押圧される。これによって、ＬＣＤ３のみならず、拡散板２もケース１に対してＹ方向に強力に固定される。
【００３５】
更に、図５に示すように、Ｚ１に示すように、Ｚ方向規制バネ部２Ｂ１〜２Ｂ４に押圧されたＬＣＤ３の裏面の四隅３Ｆ１、３Ｆ２、３Ｇ１、３Ｇ２が、Ｚ２に示すように、Ｚ方向規制突設部１Ｆ、Ｚ方向規制爪部１Ｇに押圧される。これによって、ＬＣＤ３がケース１に対してＺ方向に強力に固定される。
【００３６】
このような図３〜図５に示した、Ｘ方向、Ｙ方向及びＺ方向のそれぞれの固定が総合されて、ＬＣＤ３がケース１に対して３次元的に強力に固定される。更に、ＬＣＤ３のみならず、拡散板２も同様にケース１に対して強力に固定される。
【００３７】
以上説明したように、本発明の実施形態によれば、従来の固定構造で発生しがちであったＬＣＤ３のＸＹＺ方向のガタツキ及びこれに起因する異音発生を防止することができる。また、ガタツキ防止によって、ゴミの挟み込みも防止できる。更に、本来あるべき拡散板２をガタツキ防止に積極的に利用しているため、部品点数が増加することもない。また更に、バネ部は成形性がよく、弾性を有する材質からなる拡散板２にて成形されるため、ケース１側は成形性を損なうことがなく、弾性が比較的低い樹脂材料を使用することが可能となる。
【００３８】
なお、上記実施形態で例示した、Ｘ方向規制バネ部２Ａ、Ｙ方向規制バネ部２Ｄ及びＺ方向規制バネ部２Ｂ１〜２Ｂ４、並びに、Ｘ方向規制片２Ｅ３及びＹ方向規制片２Ｅ１、２Ｅ２の形状や個数は、本発明の主旨の範囲で適宜変形可能である。また、これにともないＸ方向規制凸部１Ｈ、Ｙ方向規制凸部１Ｊ等の形状や個数も適宜変形可能である。また、本発明は、自動車用のメータのみならず、振動が発生する環境下に用いられる装置にも同様に適用可能である。更に、実施形態では、ＬＣＤ３は長側面及び短側面から構成された矩形をしているが、正方形であってもよい。
【図面の簡単な説明】
【００３９】
【図１】本発明の一実施形態に係るＬＣＤ固定構造を説明するための分解斜視図である。
【図２】ＬＣＤをケースに組み付けた状態を示す斜視図である。
【図３】本発明のＬＣＤ固定構造の実施形態に係るＸ方向の作用を説明するための平面図である。
【図４】本発明のＬＣＤ固定構造の実施形態に係るＹ方向の作用を説明するための平面図である。
【図５】本発明のＬＣＤ固定構造の実施形態に係るＺ方向の作用を説明するための斜視図である。
【図６】この種の従来のＬＣＤ固定構造を示す分解斜視図である。
【図７】図６におけるＣＣ線断面図である。
【符号の説明】
【００４０】
１  ケース
２  拡散板
３  ＬＣＤ
２Ａ  Ｘ方向規制バネ部
２Ｄ  Ｙ方向規制バネ部
２Ｂ１〜２Ｂ４  Ｚ方向規制バネ部
１Ｈ  Ｘ方向規制凸部
１Ｊ  Ｙ方向規制凸部
１Ｇ  Ｚ方向規制爪部
１Ｆ  Ｚ方向規制突設部
【図１】
0004764681.tif 000002
【図２】
0004764681.tif 000003
【図３】
0004764681.tif 000004
【図４】
0004764681.tif 000005
【図５】
0004764681.tif 000006
【図６】
0004764681.tif 000007
【図７】
0004764681.tif 000008